(57)【要約】【課題】ラベル帳票及びラベルシートの印刷時における剥離紙剥がれを防止し、ラベル帳票使用時において剥離紙をゴミとして発生させないこと。【解決手段】台紙１０の表面又は両面に印刷部４０を有し、この台紙１０の裏面側にはその搬送方向の端部領域２０に粘着剤を介して剥離紙３０が貼付され、上記剥離紙３０は、上記端部領域２０の先端側と強粘着されるとともに、上記端部領域２０の後端側と剥離可能に弱粘着されてなり、上記先端側と上記後端側との間の折り返し部で上記剥離紙３０を折り返し可能に構成する。【選択図】図１
0003112047.tif 000002
【実用新案登録請求の範囲】
【請求項１】
台紙の表面又は両面に印刷部を有し、この台紙の裏面側にはその搬送方向の端部領域に粘着剤を介して剥離紙が貼付されたラベル帳票において、
上記剥離紙は、上記端部領域の先端側と強粘着されるとともに、上記端部領域の後端側と剥離可能に弱粘着されてなり、
上記先端側と上記後端側との間の折り返し部で上記剥離紙を折り返し可能に構成したこと
を特徴とするラベル帳票。
【請求項２】
台紙の表面又は両面に印刷部を有し、この台紙の裏面側にはその搬送方向の端部領域に粘着剤を介して剥離紙が貼付されたラベル帳票において、
上記剥離紙は、上記端部領域の先端側と強粘着剤を介して強粘着されるとともに、上記端部領域の後端側と弱粘着剤を介して剥離可能に弱粘着されてなり、
上記先端側と上記後端側との間の折り返し部で上記剥離紙を折り返し可能に構成したこと
を特徴とするラベル帳票。
【請求項３】
台紙の表面又は両面に印刷部を有し、この台紙の裏面側にはその搬送方向の端部領域に粘着剤を介して剥離紙が貼付されたラベル帳票において、
上記剥離紙は、上記端部領域の先端側と剥離剤無塗布部を介して強粘着されるとともに、上記端部領域の後端側と剥離剤を介して剥離可能に弱粘着されてなり、
上記先端側と上記後端側との間の折り返し部で上記剥離紙を折り返し可能に構成したこと
を特徴とするラベル帳票。
【請求項４】
台紙の表面又は両面に印刷部を有し、この台紙の裏面側にはその搬送方向の端部領域に粘着剤を介して剥離紙が貼付され、
上記剥離紙は、上記端部領域の先端側と強粘着されるとともに、上記端部領域の後端側と剥離可能に弱粘着されてなり、
上記先端側と上記後端側との間の折り返し部で上記剥離紙を折り返し可能に構成したラベル帳票を
複数連接あるいは切り離し可能に複数連接した状態でロール状に巻回あるいは折りたたんだこと
を特徴とするラベルシート。
【請求項５】
台紙の表面又は両面に印刷部を有し、この台紙の裏面側にはその搬送方向の端部領域に粘着剤を介して剥離紙が貼付され、
上記剥離紙は、上記端部領域の先端側と強粘着剤を介して強粘着されるとともに、上記端部領域の後端側と弱粘着剤を介して剥離可能に弱粘着されてなり、
上記先端側と上記後端側との間の折り返し部で上記剥離紙を折り返し可能に構成したラベル帳票を
複数連接あるいは切り離し可能に複数連接した状態でロール状に巻回あるいは折りたたんだこと
を特徴とするラベルシート。
【請求項６】
台紙の表面又は両面に印刷部を有し、この台紙の裏面側にはその搬送方向の端部領域に粘着剤を介して剥離紙が貼付され、
上記剥離紙は、上記端部領域の先端側と剥離剤無塗布部を介して強粘着されるとともに、上記端部領域の後端側と剥離剤を介して剥離可能に弱粘着されてなり、
上記先端側と上記後端側との間の折り返し部で上記剥離紙を折り返し可能に構成したラベル帳票を
複数連接あるいは切り離し可能に複数連接した状態でロール状に巻回あるいは折りたたんだこと
を特徴とするラベルシート。
【考案の詳細な説明】
【技術分野】
【０００１】
本考案は、特に駐車違反表示ラベルとして好適なラベル帳票およびラベルシートに関する。
【背景技術】
【０００２】
従来、例えば、駐車違反表示ラベル等として用いられているラベル帳票の一種として、台紙表面側にサーマル式プリンタにより印刷される印刷部が設けられているとともに、台紙裏面側には粘着剤を介して剥離紙が剥離可能に貼付されていた。
【０００３】
このようなラベル帳票によると、サーマル式プリンタにより印刷部に印刷した後、剥離紙を剥がし、露出した粘着剤により駐車違反表示ラベルを自動車のウィンドウガラスに貼付していた。
【０００４】
また、この種のラベル帳票にあっては、台紙の裏面全体に粘着剤を塗布したいわゆる全面ラベルタイプと、台紙の裏面の一部に粘着剤を塗布したいわゆる部分ラベルタイプがあった。
【０００５】
しかしながら、全面ラベルタイプでは、使用時において粘着剤から剥離紙を剥がすのが困難であるとともに、被着物にラベル帳票の裏面全体が貼着されてしまい、使用後剥ぎ取りの際において容易に剥がすことが出来なかった。また、剥がした剥離紙の面積が大きいのでゴミの量も多くなる。他方、部分ラベルタイプでは、剥離紙を小さくできるので、ゴミの量を少なくできるものの剥離紙が粘着剤から剥れ易くプリンタによる印刷時において、プリンタ内で粘着剤がくっついてしまい、うまく印刷できない事態を生ずるおそれがあった。
【０００６】
その一方、近年では、剥離紙を不要とするラベル帳票も提案されている。例えば、下記の特許文献１には、台紙の裏面に粘着剤を塗布するとともに、この粘着剤の表面に更にデンプン等を主成分とする水溶性再湿接着剤からなる被覆剤を塗布し、粘着剤の粘着面を隠蔽したラベル帳票が開示されている。このラベル帳票を自動車等の被着物に貼り付ける際には、その裏面に水をつけて被覆剤を溶解・除去することにより粘着剤を露出させ、露出させた粘着剤により被着物に貼り付けられるようにしている。
【０００７】
しかし、このラベル帳票は、剥離紙を不要とするものであるから、剥離紙がゴミとして発生しないが、その反面、この被覆剤の溶解・除去作業にあたっては水を必要とするので、使用者において使い勝手が悪く、使用者において未だ満足のいくものとは言えなかった。
【０００８】
【特許文献１】特開２００１−３２３２３０号公報
【考案の開示】
【考案が解決しようとする課題】
【０００９】
本考案は、上述した事情に鑑みてなされたものであり、第１の目的は、印刷時における剥離紙剥れを防止し、印刷トラブルをなくせるラベル帳票及びラベルシートを提供することにある。また、第２の目的は、ラベル帳票を車等の被着物に貼付する際に、剥離紙をゴミとして発生させないことである。
【課題を解決するための手段】
【００１０】
上記課題を解決するため、本考案に係るラベル帳票は、台紙の表面又は両面に印刷部を有し、この台紙の裏面側にはその搬送方向の端部領域に粘着剤を介して剥離紙が貼付されたラベル帳票において、上記剥離紙は、上記端部領域の先端側と強粘着されるとともに、上記端部領域の後端側と剥離可能に弱粘着されてなり、上記先端側と上記後端側との間の折り返し部で上記剥離紙を折り返し可能に構成したことを特徴とする。
【００１１】
また、本考案に係るラベルシートは、台紙の表面又は両面に印刷部を有し、この台紙の裏面側にはその搬送方向の端部領域に粘着剤を介して剥離紙が貼付され、上記剥離紙は、上記端部領域の先端側と強粘着されるとともに、上記端部領域の後端側と剥離可能に弱粘着されてなり、上記先端側と上記後端側との間の折り返し部で上記剥離紙を折り返し可能に構成したラベル帳票を複数連接あるいは切り離し可能に複数連接した状態でロール状に巻回あるいは折りたたんだことを特徴とする。
【００１２】
ここで、上記粘着剤は、常温で粘着性を有するとともに、軽い圧力で被着物に接着するものであり、例えば、次のような各種のエラストマーに重合体および粘着付与剤を塗布して乾燥させることで形成できる。
【００１３】
（ａ）ゴム系（天然ゴム、ＳＢＲ、ブチルゴム）
（ｂ）アクリル系（溶剤タイプ、エマルジョンタイプ）
（ｃ）ホットメルト系
（ｄ）シリコン系
なお、本考案のようなラベル帳票及びラベルシートに使用する粘着剤としては、特に、上記（ｂ）のアクリル系粘着剤が望ましい。
【００１４】
また、上記強粘着の程度としては、印刷時において剥離紙が剥れることがない程度の粘着力であるのは勿論のこと、剥離紙を剥がそうとすると紙破壊が起こる程度までをも含む。他方、上記弱粘着の程度としては、上記剥離紙が剥離可能であるとともに、例えば、車のウィンドウガラスに貼付した際に、風等により容易に剥れることのない粘着力である。
【００１５】
ここで、例えば、サーマル式プリンタ等を使用してラベル帳票及びラベルシートに所要の印刷を施す場合には、台紙の裏面側に貼付された剥離紙が剥れる恐れがあり、特に、端部領域の先端側に貼付された剥離紙の部分の端部が印刷時にめくれ易い。そこで、本考案においては、この印刷時にめくれ易い部分を強粘着させる、すなわち、端部領域の先端側と剥離紙とを強粘着させるとして、剥離紙剥れから生ずる印刷トラブルの防止を可能としている。
【００１６】
また、端部領域の先端側と剥離紙とを強粘着させるとともに、端部領域の後端側と剥離紙とを剥離可能に弱粘着させ、上記先端側と上記後端側との間の折り返し部で上記剥離紙を折り返し可能としている。これにより、ラベル帳票を被着物に貼付する際には、端部領域の後端側に貼付された剥離紙の部分のみを剥離し、端部領域の先端側に剥離紙を貼付させたまま被着物にラベル帳票を貼付することが可能となるので、ラベル帳票を被着物に貼付する際に剥離紙がゴミとして発生せず、使用者にとって使い勝手がよい。
【００１７】
更に、粘着剤は、台紙の裏面全体に塗布するのではなく、台紙の裏面の一部分である端部領域にのみ塗布するとしているので、ラベル帳票の使用後において、ラベル帳票を被着物から剥がし取る際に、台紙の裏面全体に塗布する場合に比して剥がし易く、使用者にとって使い勝手がよい。
【００１８】
また、本考案における剥離紙用の基材は、紙ベースのものでも、フィルムベースのものでもよく、例えば、グラシン紙、上質紙やクラフト紙にポリエチレンがラミネートされたもの、上質紙やクラフト紙にクレー系バインダを目止剤として処理したもの等種々のものが適用可能である。
【００１９】
本考案におけるラベル帳票において、被着物への貼付の際には、端部領域の先端側からは剥離紙を剥離せずに強粘着させておき、他方、端部領域の後端側からは剥離紙を剥離して粘着剤を露出させ、この露出させた粘着剤により被着物に貼付する。このため、剥離紙は、端部領域の先端側と端部領域の後端側との間の折り返し部で折り返し可能となっており、この折り返し部には、折り返し易くするためにミシン目加工、折り加工等が施されているとより好適である。
【００２０】
また、本考案におけるラベル帳票及びラベルシートは、紙製であっても、フィルム製であってもよい。
【００２１】
本考案において、上記構成のラベル帳票及びラベルシートについて、次のような変形例が考えられる。
【００２２】
例えば、上記剥離紙は、上記端部領域の先端側と強粘着剤を介して強粘着されるとともに、上記端部領域の後端側と弱粘着剤を介して剥離可能に弱粘着されるという構造を採用することができる。ここで使用する強粘着剤とは、ラベル帳票及びラベルシートの印刷時において剥離紙が剥れることがない程度の粘着力を有するのは勿論のこと、剥離紙を剥がそうとすると紙破壊が起こる程度の粘着力を有するものを意味し、他方、弱粘着剤とは、この強粘着剤よりも粘着力が弱いものを意味し、その粘着力の程度としては、剥離紙が剥離可能であるとともに、例えば、ラベル帳票を車のウィンドウガラスに貼付した際に、風等により容易に剥れることのない粘着力を有する程度である。
【００２３】
また、上記剥離紙は、上記端部領域の先端側と剥離剤無塗布部を介して強粘着されるとともに、上記端部領域の後端側と剥離剤を介して剥離可能に弱粘着されてなるという構造を採用することも可能である。このような構造の場合、剥離剤無塗布部に関しては剥離剤を塗布した部分よりも粘着剤に強粘着されることとなる。そのため、剥離剤の使用量を節減することが可能となり、ラベル帳票及びラベルシートの製造コストの削減にもつながる。
【考案の効果】
【００２４】
本考案によれば、剥離紙は、端部領域の先端側と強粘着されるとともに、端部領域の後端側と剥離可能に弱粘着されてなるという構造であるので、ラベル帳票及びラベルシートの印刷時において、剥離紙剥がれを防止でき、剥離紙剥れによる粘着剤の露出から生ずる
印刷トラブルを防止できる。更に、ラベル帳票を車のウィンドウガラス等の被着物に貼付する際に、剥離紙をゴミとして発生させないとともに、ラベル帳票使用後において被着物から容易に剥がすことができ、その結果、使用者において使い勝手がよいという効果を有する。
【考案を実施するための最良の形態】
【００２５】
図１（ａ）〜（ｃ）は、それぞれ、本考案に係るラベル帳票の表面側を示す平面図、裏面側を示す平面図、使用状態を示す参考図である。図２は、本考案に係るラベル帳票及びラベルシートの裏面側の粘着剤の塗布形態を示す平面図である。図３は、本考案に係るラベル帳票及びラベルシートにおける剥離紙への剥離剤の塗布形態を示す平面図である。図４（ａ）及び（ｂ）は、それぞれ、本考案に係るラベルシートの裏面側を示す参考図、表面側を示す平面図である。図５は、本考案に係るラベル帳票及びラベルシートへの印字作業を示す斜視図である。
【００２６】
まず、本考案に係るラベル帳票の一実施形態について説明する。なお、ラベル帳票の用途としては下記に限定されるものではなく、ラベル帳票を被着体に貼付する種々の場面において、本考案に係るラベル帳票は適用可能である。
【００２７】
図１に示すように、ラベル帳票１ａは、台紙１０と、この台紙１０の裏面側の端部領域２０に粘着剤を介して貼付された剥離紙３０とからなる。本実施形態においては、このラベル帳票１ａは、駐車違反車のウィンドウガラスに貼付される駐車違反表示ラベルである。
【００２８】
図１（ａ）に示すように、このラベル帳票１ａの表面側には、印刷部４０が設けられている。この印刷部４０には、図示しないサーマル式プリンタ等を使用して、違法駐車確認標章との文字表記４１、“駐車違反”と“速やかに移動して下さい”との文字表記４２、駐車違反マーク４３、違反車標記欄４４及び控記入欄４５が印刷されている。なお、本実施形態においては、この印刷部４０は、台紙１０の表面側に設けられているとしたが、これに限定されるものではなく、この印刷部４０は、台紙１０の両面に設けられていてもよい。
【００２９】
また、この違反車標記欄４４には、後述するハンディターミナルを使用して、「△△３４  ひ○○−××」等の違反車のナンバーや「ｐｍ１：３８」等の取締り時の時間が印刷され、違反車のドライバー等において、駐車時間の特定等に利用される。
【００３０】
他方、控記入欄４５にも、上記違反車標記欄４４に印刷されたのと同一の違反車のナンバー及び取締り時の時間が印刷され、違反車を取り締まる側の警察官等において、この控記入欄４５を切り取って、違反車や駐車時間の特定のための控えとして保管される。
【００３１】
この違反車標記欄４４及び控記入欄４５の印刷内容としては、上記に限定されるものではなく、例えば、違反車のナンバーや取締り時の時間等の情報がバーコード化されたものが印刷されるようにする等種々の方法が考えられる。
【００３２】
なお、本実施形態においては、この控記入欄４５を容易に切り取れるように、控記入欄４５の上方に切り取り用ミシン目４６が形成されている。
【００３３】
また、図１（ｂ）に示すように、ラベル帳票１ａの裏面側の端部領域２０には、粘着剤を介して剥離紙３０が貼付されている。本実施形態においては、端部領域２０の先端側（以下「第１の粘着部２１」という）は、これに対接する剥離紙３０の部分と強粘着されている（この剥離紙３０の部分を以下「保持部３１」という）。他方、端部領域２０の後端側（以下「第２の粘着部２２」という）は、これに対接する剥離紙３０の部分と剥離可能に弱粘着されている（この剥離紙３０の部分を以下「剥離部３２」という）。なお、本実施形態におけるラベル帳票１ａは、後述するように剥離紙３０を折り返して使用するため、剥離紙３０には、第１の粘着部２１と第２の粘着部２２との間に、ミシン目加工により形成された折り返し部３３が設けられている。
【００３４】
第１の粘着部２１も第２の粘着部２２も共に粘着剤が塗布されることにより形成されている。上記強粘着の程度としては、印刷時において剥離紙３０が剥れることがない程度の粘着力であるのは勿論のこと、剥離紙３０を剥がそうとすると紙破壊が起こる程度までをも含む。他方、上記弱粘着の程度としては、剥離紙３０が剥離可能であるとともに、車のウィンドウガラスに貼付した際に、風等により容易に剥れることのない粘着力である。
【００３５】
また、図１（ｂ）に示すように、剥離紙３０は、台紙１０の搬送方向の端部領域に粘着剤を介して貼付されている。ここで、例えば、後述するハンディターミナルを使用してラベル帳票１ａの印刷部４０に所要の印刷を施す場合には、台紙１０の裏面側に貼付された剥離紙３０が剥れる恐れがあり、特に、剥離紙３０の保持部３１の端部３１ａが特に印刷時にめくれ易い。そこで、本考案に係るラベル帳票１ａにおいては、この印刷時にめくれ易い剥離紙３０の保持部３１と第１の粘着部２１とを強粘着させることにより、印刷時における剥離紙３０剥れから生ずる印刷トラブルの防止を可能としている。
【００３６】
また、本考案に係るラベル帳票１ａにおいては、粘着剤は台紙１０の裏面全体に塗布するのではなく、台紙１０の裏面の一部分である端部領域２０にのみ塗布する構成を採用している。従って、ラベル帳票１ａの使用後において、ラベル帳票１ａを車のウィンドウガラスから剥がし取る際に、台紙１０の裏面全体に塗布する場合に比して剥がし易く、使用者にとっては使い勝手がよい。
【００３７】
上記所要の印刷が施されたラベル帳票１ａを駐車違反車のウィンドウガラスに貼付する際には、図１（ｃ）に示すように、剥離紙３０のうち剥離部３２のみを、第２の粘着部２２から上方へ剥離し、剥離された剥離部３２を保持部３１の上に重ねるようにして折り返すとともに、第２の粘着部２２を露出させる。この際、第１の粘着部２１と第２の粘着部２２との間であって、剥離紙３０を折り返す部分にミシン目加工等による折り返し部３３が形成されていると、折り返しやすい。上記のように剥離部３２を折り返した状態において、露出した第２の粘着部２２を駐車違反車のウィンドウガラスに押し当てると、ラベル帳票１ａがウィンドウガラスに貼付される。
【００３８】
このように、本考案に係るラベル帳票１ａにおいては、車のウィンドウガラスに貼り付ける際に、剥離紙３０を剥がし取り去らないので、使用時において剥離紙３０がゴミとして発生せず、使用者にとって使い勝手がよい。
【００３９】
上述したように、本考案に係るラベル帳票１ａにおいて、剥離紙３０は、第１の粘着部２１と強粘着されるとともに、第２の粘着部２２と剥離可能に弱粘着されているが、このような構造として、図２、図３に示す変形例が考えられる。なお、図２は、第１の粘着部２１と第２の粘着部２２の構造の変形例であり、剥離紙３０が貼付されていない状態の平面図である。図３は、剥離紙３０の保持部３１と剥離部３２の構造の変形例を示す平面図である。
【００４０】
まず、第１の粘着部２１と第２の粘着部２２の構造の変形例について説明する。
【００４１】
図２（ａ）に示す第１の粘着部２１と第２の粘着部２２の構造は、１種類の粘着剤を第１の粘着部２１及び第２の粘着部２２の全面に塗布したものである。この場合には、後述するように剥離紙３０の保持部３１の構造を、剥離剤を塗布しないあるいは剥離剤を一部塗布しない等により第１の粘着部２１に剥離紙３０の保持部３１を強粘着させるようにする。このような構造とすることにより、剥離紙３０のうち剥離剤が塗布されていない部分は、第１の粘着部２１と強粘着させることが可能となる。
【００４２】
図２（ｂ）に示す第１の粘着部２１と第２の粘着部２２の構造は、弱粘着剤を第１の粘着部２１及び第２の粘着部２２の全面に塗布し、その後、強粘着剤を第１の粘着部２１にのみ点状に塗布したものである。
【００４３】
図２（ｃ）に示す第１の粘着部２１と第２の粘着部２２の構造は、第１の粘着部２１の全面に強粘着剤を塗布し、第２の粘着部２２の全面に弱粘着剤を塗布した構造である。
【００４４】
ここで使用する強粘着剤とは、第１の粘着部２１に点状に塗布した場合でも、これに全面に塗布した場合でも、ラベル帳票１ａの印刷時において剥離紙３０が剥れることがない程度の粘着力を有するのは勿論のこと、剥離紙３０を剥がそうとすると紙破壊が起こる程度の粘着力を有するものを意味する。他方、弱粘着剤とは、この強粘着剤よりも粘着力が弱いものを意味し、その粘着力の程度としては、剥離紙３０が剥離可能であるとともに、例えば、車のウィンドウガラスに貼付した際に、風等により容易に剥れることのない粘着力を有する程度である。
【００４５】
次に、剥離紙３０の構造の変形例について説明する。
【００４６】
図３（ａ）に示す剥離紙３０の構造は、剥離紙３０の保持部３１と剥離部３２の全面に剥離剤が塗布されたものであり、この場合には、上述したように第１の粘着部２１の構造を、強粘着剤を塗布することにより形成する等により、この保持部３１を第１の粘着部２１に強粘着させるようにする。
【００４７】
図３（ｂ）に示す剥離紙３０の構造は、保持部３１には剥離剤を塗布せず（図中、剥離剤無塗布部３１ａ）、剥離部３２には剥離剤を塗布した構造である。このような構造にすることにより、剥離剤が塗布されていない保持部３１に関しては、第１の粘着部２１との粘着力が強くなり、第１の粘着部２１に強粘着剤を用いなくても、印刷時における剥離紙３０剥れを防止でき、しかも、剥離剤の塗布量を節減することが可能となり、その結果、製造コストの削減にもつながる。
【００４８】
図３（ｃ）に示す剥離紙の構造は、保持部３１と剥離部３２とを異なる剥離剤を塗布することにより形成したものである。例えば、保持部３１に塗布する剥離剤を重剥離のもの、すなわち、剥離力が強く剥がしづらいものとし、剥離部３２に塗布する剥離剤をこれより軽剥離のもの、すなわち、剥離力が弱く剥がし易いものとするという構造が考えられる。
【００４９】
図３（ｄ）に示す剥離紙の構造は、剥離部３２には剥離剤を全面に塗布し、他方、保持部３１には剥離剤を塗布しない剥離剤無塗布部３１ｂを部分的に形成するという構造である。図においては、この剥離剤無塗布部３１ｂは、柵状に形成されているが、これに限定されるものではなく、例えば、点状、縞状等種々の構造が考えられる。このような構造とすることにより、剥離剤無塗布部３１ｂについては、第１の粘着部２１との粘着力を強くすることができるので、第１の粘着部２１において強粘着剤を使用する必要がなく、また、剥離剤の使用量も節減できるので、その結果、製造コストの削減にもつながる。
【００５０】
次に、本考案に係るラベルシートの一実施形態について説明する。
【００５１】
図４に示すように、本実施形態におけるラベルシート１は、ロール状に巻回されたサーマルロール紙からなる。
【００５２】
このラベルシート１は、台紙１０と、この台紙１０の裏面側の所定の複数箇所に粘着剤を介して貼付された剥離紙３０とからなる。
【００５３】
このラベルシート１は、台紙１０の裏面側の端部領域２０に粘着剤を介して剥離紙３０が貼付されているとともに、台紙１０の表面側の印刷部４０に図示しないサーマル式プリンタ等を使用して、違法駐車確認標章との文字表記４１、“駐車違反”と“速やかに移動して下さい”との文字表記４２、駐車違反マーク４３、違反車標記欄４４及び控記入欄４５が印刷されたラベル帳票１ａが、ミシン目５０を介して切り離し可能に複数連接しロール状に巻回されてなる。
【００５４】
このような構造のラベルシート１は、次のような製造工程を経て製造される。図４（ａ）に示すように、台紙１０裏面側の所定の複数個所に粘着剤が塗布されるとともに、この粘着剤に剥離紙３０が貼付される。この際、ラベル帳票１ａとして区画すると同時に切断を容易とするためのミシン目５０と、前述したように図４（ｂ）に示す控記入欄４５を切り離し可能とすべく切り取り用ミシン目４６が、所定の箇所に複数形成される。その後、図４（ｂ）に示すように、台紙１０の表面側の印刷部４０に、図示しないサーマル式プリンタ等を使用して、所定の箇所に、違法駐車確認標章との文字表記４１、“駐車違反”と“速やかに移動して下さい”との文字表記４２、駐車違反マーク４３、違反車標記欄４４、控記入欄４５が、図１に示す台紙１０の搬送方向におけるラベルシート１の下流側から印刷される。
【００５５】
上記構造のラベルシート１を警察官等が使用するに際しては、図５に示す通り、サーマル式プリンタを有するハンディターミナルＡに、このロール状のラベルシート１を装填しハンディターミナルＡのテンキー等により必要事項を入力する。すると、このラベルシート１は、台紙１０の搬送方向におけるラベルシート１の下流側から入力された事項（例えば、違反車のナンバー、駐車時間）が順々に印刷されて出力される。その後、警察官等において、ミシン目５０より切り取られ、ラベル帳票１ａとして駐車違反車のウィンドウガラス等に貼付される。
【００５６】
本実施形態においては、この切り取られた状態のラベル帳票１ａが、図１に示すラベル帳票１ａである。
【００５７】
このように、サーマル式プリンタ等を使用して、違法駐車確認標章との文字表記４１等を印刷する際と、ハンディターミナルＡを使用して違反車のナンバー等を印刷する際には、ラベルシート１は、図４（ａ）及び図５に示すように、台紙１０の搬送方向の下流側から順々にサーマル式プリンタに搬送されることとなる。この搬送の際に、特に、台紙１０の裏面側に貼付された剥離紙３０が剥れる恐れがあり、特に、剥離紙３０の保持部３１の端部３１ａが特に印刷時にめくれ易い。そこで、本考案に係るラベルシート１においては、この印刷時にめくれ易い剥離紙３０の保持部３１と第１の粘着部２１とを強粘着させることにより、印刷時における剥離紙３０剥れから生ずる印刷トラブルの防止を可能としている。
【００５８】
また、本実施形態におけるラベルシート１においても、剥離紙３０を第１の粘着部２１と強粘着させるとともに、第２の粘着部２２と剥離可能に弱粘着させる構造を採用しているが、この構造の変形例として図２、図３に示す変形例が考えられる。この詳細については、上記ラベル帳票１ａの実施形態において説明したのと同様であるので、ここでは説明を省略する。
【００５９】
なお、本実施形態においては、サーマルロール紙、すなわち、紙媒体を使用しているが、表面側にプリント可能で、かつ、裏面側に粘着剤を塗布することが可能であれば、紙媒体に限定されるものではなく、例えば、フィルム媒体でもよい。
【００６０】
また、本実施形態においては、ラベルシート１は、ラベル帳票１ａを切り離し可能に複数連接した状態でロール状に巻回されているとしたが、これに限定されるものではなく、例えば、このラベルシート１は、上記ラベル帳票１ａを切り離し可能に連接した状態で折りたたんだものであってもよく種々の形態が考えられる。
【００６１】
更に、本実施形態においては、ラベルシート１に予めミシン目５０を形成し、ラベル帳票１ａを切り離し可能に複数連接するとしたが、このミシン目５０はなくてもよい。例えば、ラベル帳票１ａをミシン目等を介さず複数連接したラベルシート１であってもよく、この場合は、ラベル帳票１ａの使用の際に、ハンディターミナルＡが有する図示しないカッター等により切り取るようにしてもよい。
【図面の簡単な説明】
【００６２】
【図１】（ａ）は、本考案に係るラベル帳票の表面側を示す平面図、（ｂ）は、裏面側を示す平面図、（ｃ）は、使用状態を示す参考図である。
【図２】本考案に係るラベル帳票及びラベルシートの裏面側の粘着剤の塗布形態を示す平面図である。
【図３】本考案に係るラベル帳票及びラベルシートにおける剥離紙への剥離剤の塗布形態を示す平面図である。
【図４】（ａ）は、本考案に係るラベルシートの裏面側を示す参考図、（ｂ）は、表面側を示す平面図である。
【図５】本考案に係るラベル帳票及びラベルシートへの印字作業を示す斜視図である。
【符号の説明】
【００６３】
１      ラベルシート
１ａ    ラベル帳票
１０    台紙
２０    端部領域
２１    第１の粘着部
２２    第２の粘着部
３０    剥離紙
３１    保持部
３１ａ  剥離剤無塗布部
３２    剥離部
３３    折り返し部
４０    印刷部
５０    ミシン目
【図１】
0003112047.tif 000003
【図２】
0003112047.tif 000004
【図３】
0003112047.tif 000005
【図４】
0003112047.tif 000006
【図５】
0003112047.tif 000007